(57)【要約】【課題】視聴対象番組を確実に視聴可能とする。【解決手段】ＨＤＤレコーダのＲＡＭ１２は、再放送を検索する候補の番組である検索候補番組の番組名称情報を、判定期間Ｐ１及び基準日時Ｔ０と対応付けて予め格納する候補記憶部１２１を備え、ＭＰＵ１１は、受信部１５を介してＥＰＧ情報を取得する番組表取得部１１４と、予め設定された所定期間毎に番組表取得部１１４に対してＥＰＧ情報を取得させ、取得されたＥＰＧ情報において、基準日時Ｔ０から判定期間Ｐ１経過までの間に、候補記憶部１２１に格納された検索候補番組の番組名称情報と同一の番組名称情報を有する番組の放送開始日時Ｔ１が含まれているか否かを判定する早期放送判定部１１５と、放送開始日時が含まれていると判定された場合に、該番組名称情報を、検索対象番組の番組名称情報として設定する再放送設定部１１６と、を備えている。【選択図】図２
2009033290.tif 000002
【特許請求の範囲】
【請求項１】
デジタル放送を受信し、受信した映像情報を記録媒体に格納すると共に、受信した映像情報をモニタに表示可能に構成されたデジタル放送記録装置であって、
再放送を検索する候補の番組である検索候補番組の番組名称情報を、再放送を検索するか否かを規定する期間である判定期間情報、及び、前記判定期間の開始日時である基準日時情報と対応付けて予め格納する候補記憶手段と、
予め設定された１のチャンネルのデジタル放送を受信する受信手段と、
前記受信手段を介してＥＰＧ（Ｅｌｅｃｔｒｏｎｉｃ  Ｐｒｏｇｒａｍ  Ｇｕｉｄｅ）情報を取得する番組表取得手段と、
予め設定された所定期間毎に前記番組表取得手段に対してＥＰＧ情報を取得させ、取得されたＥＰＧ情報において、前記基準日時から前記判定期間経過までの間に、前記候補記憶手段に格納された検索候補番組の番組名称情報と同一の番組名称情報を有する番組の放送開始日時が含まれているか否かを判定する早期放送判定手段と、
再放送を検索する対象の番組である検索対象番組の番組名称情報を格納する検索対象記憶手段と、
前記早期放送判定手段によって番組の放送開始日時が含まれていると判定された場合に、該番組の放送終了日時が経過した時点で、該番組名称情報を、前記検索対象番組の番組名称情報として設定し、前記検索対象記憶手段に記録する再放送設定手段と、
を備えることを特徴とするデジタル放送記録装置。
【請求項２】
前記基準日時から前記判定期間が経過したか否かを判定し、判定期間が経過したと判定された場合に、前記基準日時を、前記基準日時から前記判定期間が経過した時点を起点として、更に、前記検索候補番組の番組放送時間が経過した時点に対応する日時に更新し、前記候補記憶手段に記録する基準日時更新手段を備えることを特徴とする請求項１に記載のデジタル放送記録装置。
【請求項３】
前記再放送設定手段によって前記検索対象番組の番組名称情報が設定された場合に、予め設定された期間毎に前記番組表取得手段に対してＥＰＧ情報を取得させ、取得されたＥＰＧ情報に前記検索対象番組の番組名称情報が含まれているか否かを判定する再放送有無判定手段と、
前記再放送有無判定手段によって、前記検索対象番組の番組名称情報が含まれていると判定された場合に、前記検索対象番組が再放送される旨の情報を報知する報知手段と、
を備えることを特徴とする請求項１又は請求項２に記載のデジタル放送記録装置。
【請求項４】
前記報知手段は、前記モニタに前記検索対象番組が再放送される旨の情報を表示することを特徴とする請求項３に記載のデジタル放送記録装置。
【請求項５】
前記受信手段によって受信された１のチャンネルの映像情報を、該映像情報に対応する番組名称情報及び録画開始日時情報と対応付けて前記記録媒体に予め格納する番組情報記憶手段と、
前記番組情報記憶手段に、同一の番組名称情報を有する複数の映像情報が格納されているか否かを判定する候補判定手段と、
前記候補判定手段によって同一の番組名称情報を有する複数の映像情報が格納されていると判定された場合に、該番組名称情報を検索候補番組の番組名称情報として前記候補記憶手段に記録する候補設定手段と、
前記候補判定手段によって同一の番組名称情報を有する複数の映像情報が格納されていると判定された場合に、前記複数の映像情報の内、最新の映像情報に対応する録画終了日時を前記基準日時として設定し、前記候補記憶手段に記録する基準日時設定手段と、
前記候補判定手段によって同一の番組名称情報を有する複数の映像情報が格納されていると判定された場合に、前記複数の映像情報に対応する録画開始日時に基づき前記判定期間を設定し、前記候補記憶手段に記録する判定期間設定手段と、
を備えることを特徴とする請求項１〜請求項４のいずれかに記載のデジタル放送記録装置。
【請求項６】
前記判定期間設定手段は、前記複数の映像情報の内、１の映像情報に対応する１の録画開始日時と、他の１の映像情報に対応する他の１の録画開始日時との間の期間である放送間隔期間を求め、求められた放送間隔期間から、前記映像情報に対応する検索候補番組の番組放送時間を引いた差を前記判定期間として設定することを特徴とする請求項５に記載のデジタル放送記録装置。
【発明の詳細な説明】
【技術分野】
【０００１】
本発明は、デジタル放送を介して受信した番組情報を格納すると共に、格納された番組情報を再生してモニタに表示するデジタル放送記録装置に関する。
【背景技術】
【０００２】
近年、デジタル放送を受信し、受信した映像情報をＨＤＤ（Ｈａｒｄ  Ｄｉｓｋ  Ｄｒｉｖｅ）等の記録媒体に格納すると共に、受信した映像情報をモニタに表示可能に構成されたハードディスクレコーダ（以下、「ＨＤＤレコーダ」という）等のデジタル放送記録装置が普及している。また、ＨＤＤレコーダ等のデジタル放送記録装置では、ＥＰＧ（Ｅｌｅｃｔｒｏｎｉｃ  Ｐｒｏｇｒａｍ  Ｇｕｉｄｅ）情報を介して、今後放送される予定の番組情報を確認することが可能である。
【０００３】
一方、放送される番組は、一定の周期で（例えば、１週間毎に）放送されるものがあり、このような番組が、ユーザが視聴することを所望する番組（以下、「視聴対象番組」という）である場合に、ユーザが視聴対象番組を見逃さないために、種々の方法、装置が提案されている。
【０００４】
例えば、受信したチャンネルを示すチャンネル情報を、受信した曜日を示す曜日情報と時刻を示す時刻情報とに対応付けて記憶するチャンネル記憶手段と、記憶されたチャンネル情報のうち、対応付けられた曜日情報の示す曜日が現在の曜日に対応し、且つ、対応付けられた時刻情報の示す時刻が現在の時刻に対応するチャンネル情報を週前チャンネル情報として、週前チャンネル情報の示すチャンネルが、現在受信中のチャンネルに一致するかどうかを判定するチャンネル判定手段と、判定結果が不一致を示すときには、週前チャンネル情報を示す情報信号を生成する情報信号生成手段と、を備えるテレビ放送受信装置が提案されている（特許文献１参照）。
【０００５】
このテレビ放送受信装置によれば、１週間前に見ていた番組のチャンネルとは異なるチャンネルを受信していて、１週間前に見ていた番組の続きを見逃す恐れのあるときには、１週間前に見ていた番組のチャンネルを示す情報によってユーザに注意を促すので、録画しない場合にも、毎週視聴している番組を見逃すことを防止することができる。
【特許文献１】特開２００１−１９７３９５号公報
【発明の開示】
【発明が解決しようとする課題】
【０００６】
しかしながら、上記テレビ放送受信装置においては、視聴対象番組の放送日時が何らかの事情により変更された場合には、ユーザが視聴対象番組を視聴できない場合がある。特に、視聴対象番組が、通常の放送日時より早期に放送された場合には、ユーザが視聴対象番組を視聴するためにデジタル放送記録装置をＯＮした時点では、既に視聴対象番組の放送が終了しており、ユーザが視聴対象番組を視聴できないことになる。
【０００７】
本発明は、上記課題に鑑みてなされたものであって、視聴対象番組を確実に視聴することの可能なデジタル放送記録装置を提供することを目的としている。
【課題を解決するための手段】
【０００８】
上記目的を達成するために請求項１に記載のデジタル放送記録装置は、デジタル放送を受信し、受信した映像情報を記録媒体に格納すると共に、受信した映像情報をモニタに表示可能に構成されたデジタル放送記録装置であって、再放送を検索する候補の番組である検索候補番組の番組名称情報を、再放送を検索するか否かを規定する期間である判定期間情報、及び、前記判定期間の開始日時である基準日時情報と対応付けて予め格納する候補記憶手段と、予め設定された１のチャンネルのデジタル放送を受信する受信手段と、前記受信手段を介してＥＰＧ（Ｅｌｅｃｔｒｏｎｉｃ  Ｐｒｏｇｒａｍ  Ｇｕｉｄｅ）情報を取得する番組表取得手段と、予め設定された所定期間毎に前記番組表取得手段に対してＥＰＧ情報を取得させ、取得されたＥＰＧ情報において、前記基準日時から前記判定期間経過までの間に、前記候補記憶手段に格納された検索候補番組の番組名称情報と同一の番組名称情報を有する番組の放送開始日時が含まれているか否かを判定する早期放送判定手段と、再放送を検索する対象の番組である検索対象番組の番組名称情報を格納する検索対象記憶手段と、前記早期放送判定手段によって番組の放送開始日時が含まれていると判定された場合に、該番組の放送終了日時が経過した時点で、該番組名称情報を、前記検索対象番組の番組名称情報として設定し、前記検索対象記憶手段に記録する再放送設定手段と、を備えることを特徴としている。
【０００９】
請求項２に記載のデジタル放送記録装置は、前記基準日時から前記判定期間が経過したか否かを判定し、判定期間が経過したと判定された場合に、前記基準日時を、前記基準日時から前記判定期間が経過した時点を起点として、更に、前記検索候補番組の番組放送時間が経過した時点に対応する日時に更新し、前記候補記憶手段に記録する基準日時更新手段を備えることを特徴としている。
【００１０】
請求項３に記載のデジタル放送記録装置は、請求項１又は請求項２に記載のデジタル放送記録装置であって、前記再放送設定手段によって前記検索対象番組の番組名称情報が設定された場合に、予め設定された期間毎に前記番組表取得手段に対してＥＰＧ情報を取得させ、取得されたＥＰＧ情報に前記検索対象番組の番組名称情報が含まれているか否かを判定する再放送有無判定手段と、前記再放送有無判定手段によって、前記検索対象番組の番組名称情報が含まれていると判定された場合に、前記検索対象番組が再放送される旨の情報を報知する報知手段と、を備えることを特徴としている。
【００１１】
請求項４に記載のデジタル放送記録装置は、請求項３に記載のデジタル放送記録装置であって、前記報知手段が、前記モニタに前記検索対象番組が再放送される旨の情報を表示することを特徴としている。
【００１２】
請求項５に記載のデジタル放送記録装置は、請求項１〜請求項４のいずれかに記載のデジタル放送記録装置であって、前記受信手段によって受信された１のチャンネルの映像情報を、該映像情報に対応する番組名称情報及び録画開始日時情報と対応付けて前記記録媒体に予め格納する番組情報記憶手段と、前記番組情報記憶手段に、同一の番組名称情報を有する複数の映像情報が格納されているか否かを判定する候補判定手段と、前記候補判定手段によって同一の番組名称情報を有する複数の映像情報が格納されていると判定された場合に、該番組名称情報を検索候補番組の番組名称情報として前記候補記憶手段に記録する候補設定手段と、前記候補判定手段によって同一の番組名称情報を有する複数の映像情報が格納されていると判定された場合に、前記複数の映像情報の内、最新の映像情報に対応する録画終了日時を前記基準日時として設定し、前記候補記憶手段に記録する基準日時設定手段と、前記候補判定手段によって同一の番組名称情報を有する複数の映像情報が格納されていると判定された場合に、前記複数の映像情報に対応する録画開始日時に基づき前記判定期間を設定し、前記候補記憶手段に記録する判定期間設定手段と、を備えることを特徴としている。
【００１３】
請求項６に記載のデジタル放送記録装置は、請求項５に記載のデジタル放送記録装置であって、前記判定期間設定手段が、前記複数の映像情報の内、１の映像情報に対応する１の録画開始日時と、他の１の映像情報に対応する他の１の録画開始日時との間の期間である放送間隔期間を求め、求められた放送間隔期間から、前記映像情報に対応する検索候補番組の番組放送時間を引いた差を前記判定期間として設定することを特徴としている。
【発明の効果】
【００１４】
請求項１に記載のデジタル放送記録装置によれば、再放送を検索する候補の番組である検索候補番組の番組名称情報が、再放送を検索するか否かを規定する期間である判定期間情報、及び、判定期間の開始日時である基準日時情報と対応付けて候補記憶手段に予め格納されており、予め設定された所定期間毎に、予め設定された１のチャンネルのデジタル放送を受信する受信手段を介して、ＥＰＧ情報が取得され、取得されたＥＰＧ情報において、基準日時から判定期間経過までの間に、候補記憶手段に格納された検索候補番組の番組名称情報と同一の番組名称情報を有する番組の放送開始日時が含まれているか否かが判定される。また、番組の放送開始日時が含まれていると判定された場合に、該番組の放送終了日時が経過した時点で、この番組名称情報が、再放送を検索する対象の番組である検索対象番組の番組名称情報として設定され、検索対象番組の番組名称情報を格納する検索対象記憶手段に記録されるため、視聴対象番組を確実に視聴することができる。
【００１５】
すなわち、取得されたＥＰＧ情報において、基準日時（例えば、検索候補番組の放送終了日時）から判定期間（例えば、判定期間＝（放送間隔期間：例えば、１週間）−（検索候補番組の番組放送時間：例えば、２時間））経過までの間に、候補記憶手段に格納された検索候補番組の番組名称情報と同一の番組名称情報を有する番組の放送開始日時が含まれているか否か（＝通常の放送開始日時より前に放送が開始されるか否か）が判定され、番組の放送開始日時が含まれている（＝通常の放送開始日時より前に放送が開始される：以下、通常の放送開始日時より前に開始される放送を「早期放送」という）と判定された場合に、この番組の放送終了日時が経過した時点で、この番組名称情報が、再放送を検索する対象の番組である検索対象番組の番組名称情報として設定され、検索対象記憶手段に記録されるため、例えば、検索対象記憶手段に記録された検索対象番組の番組名称情報をモニタに表示することによって、再放送を検索する対象の番組（＝視聴対象番組であって、且つ、ユーザが視聴する機会を逸した可能性のある番組）をユーザが確認することが可能となるので、視聴対象番組を確実に視聴することができるのである。
【００１６】
請求項２に記載のデジタル放送記録装置によれば、基準日時から判定期間が経過したか否かが判定され、判定期間が経過したと判定された場合に、基準日時が、基準日時から判定期間が経過した時点を起点として、更に、検索候補番組の番組放送時間が経過した時点に対応する日時に更新され、候補記憶手段に記録されるため、視聴対象番組を更に確実に視聴することができる。
【００１７】
すなわち、基準日時から判定期間が経過したと判定された場合に、基準日時が、基準日時から判定期間が経過した時点を起点として、更に、検索候補番組の番組放送時間が経過した時点に対応する日時に更新されるため、基準日時から判定期間が経過する度に、基準日時が更新され、早期放送の有無を継続して判定することができるので、視聴対象番組を更に確実に視聴することができる。
【００１８】
請求項３に記載のデジタル放送記録装置によれば、検索対象番組の番組名称情報が設定された場合に、予め設定された期間毎にＥＰＧ情報が取得され、取得されたＥＰＧ情報に検索対象番組の番組名称情報が含まれているか否かが判定され、検索対象番組の番組名称情報が含まれていると判定された場合に、検索対象番組が再放送される旨の情報が報知されるため、視聴対象番組を更に確実に視聴することができる。
【００１９】
すなわち、再放送を検索する対象の番組である検索対象番組（＝視聴対象番組であって、且つ、ユーザが視聴する機会を逸した可能性のある番組）の番組名称情報が設定された場合に、ＥＰＧ情報に検索対象番組の番組名称情報が含まれているか否かが判定され、検索対象番組の番組名称情報が含まれていると判定された場合に、検索対象番組が再放送される旨の情報が報知されるため、ユーザは、視聴対象番組であって、且つ、ユーザが視聴する機会を逸した可能性のある番組が再放送されることを認知することができるので、視聴対象番組を更に確実に視聴することができるのである。
【００２０】
請求項４に記載のデジタル放送記録装置によれば、検索対象番組の番組名称情報が含まれていると判定された場合に、モニタに検索対象番組が再放送される旨の情報が表示されるため、視聴対象番組であって、且つ、ユーザが視聴する機会を逸した可能性のある番組が再放送されることを更に確実に認知することができる。
【００２１】
請求項５に記載のデジタル放送記録装置によれば、受信手段によって、予め設定された１のチャンネルのデジタル放送が受信され、受信された１のチャンネルの映像情報が、該映像情報に対応する番組名称情報及び録画開始日時情報と対応付けて記録媒体の番組情報記憶手段に予め格納されている。そして、番組情報記憶手段に、同一の番組名称情報を有する複数の映像情報が格納されているか否かが判定され、同一の番組名称情報を有する複数の映像情報が格納されていると判定された場合に、該番組名称情報が検索候補番組の番組名称情報として候補記憶手段に記録され、複数の映像情報の内、最新の映像情報に対応する録画終了日時が基準日時として設定され候補記憶手段に記録されると共に、複数の映像情報に対応する録画開始日時に基づき判定期間が設定され、候補記憶手段に記録されるため、利便性良好に検索候補番組の番組名称情報、基準日時情報及び判定期間情報を候補記憶手段に格納することができる。
【００２２】
すなわち、番組情報記憶手段に、同一の番組名称情報を有する複数の映像情報が格納されていると判定された場合に、該番組名称情報が検索候補番組の番組名称情報として候補記憶手段に記録され、複数の映像情報の内、最新の映像情報に対応する録画終了日時が基準日時として設定され候補記憶手段に記録されると共に、複数の映像情報に対応する録画開始日時に基づき判定期間が設定され候補記憶手段に記録されるため、ユーザが検索候補番組の番組名称情報、基準日時情報及び判定期間情報を候補記憶手段に格納する必要がないので、利便性良好に検索候補番組の番組名称情報、基準日時情報及び判定期間情報を候補記憶手段に格納することができるのである。
【００２３】
請求項６に記載のデジタル放送記録装置によれば、番組情報記憶手段に格納された同一の番組名称情報を有する複数の映像情報の内、１の映像情報に対応する１の録画開始日時と、他の１の映像情報に対応する他の１の録画開始日時との間の期間である放送間隔期間が求められ、求められた放送間隔期間から、映像情報に対応する検索候補番組の番組放送時間を引いた差が判定期間として設定するため、適正な判定期間を設定することができる。
【００２４】
すなわち、基準日時（＝検索候補番組の放送終了日時）から判定期間経過までの間に、候補記憶手段に格納された検索候補番組の番組名称情報と同一の番組名称情報を有する番組の放送開始日時が含まれている場合に、早期放送がされる（＝通常の放送開始日時より前に放送が開始される）と判定するため、判定期間として、放送間隔期間から、映像情報に対応する検索候補番組の番組放送時間を引いた差が判定期間として設定されるので、適正な判定期間を設定することができるのである（図６（ａ）参照）。
【発明を実施するための最良の形態】
【００２５】
以下に本発明の実施形態を、図面を参照しながら説明する。図１は、本発明に係るＨＤＤレコーダの構成の一例を示すブロック図である。ＨＤＤレコーダ１（デジタル放送記録装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００２６】
ＨＤＤレコーダ１は、リモコン３を介してユーザからの操作入力を受け付けて、受け付けた操作入力に基づいて、テレビジョン放送を受信し、受信した番組情報をＨＤＤ１９に格納するものである。また、ＨＤＤレコーダ１は、ＨＤＤ１９に格納された番組情報を読み出して再生し、出力装置２に対して映像及び音声を出力するものである。
【００２７】
出力装置２は、ディスプレイ２１及びスピーカ２２を備え、ＨＤＤレコーダ１から入力された音声情報及び映像情報を出力するものである。ディスプレイ２１（モニタ、報知手段の一部に相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、ＨＤＤレコーダ１から入力された映像情報に対応する映像を外部から視認可能に表示するものである。スピーカ２２は、ＨＤＤレコーダ１から入力された音声情報に対応する音声を出力するものである。
【００２８】
リモコン３は、ユーザからの操作入力を受け付けて、受け付けられた操作入力に対応する赤外線信号を生成して、ＨＤＤレコーダ１に対して出力するものである。
【００２９】
また、ＨＤＤレコーダ１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＤ１９を備えている。
【００３０】
ＭＰＵ（Ｍｉｃｒｏ  Ｐｒｏｃｅｓｓｉｎｇ  Ｕｎｉｔ）１１は、ＨＤＤレコーダ１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３１】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、デジタル方式のテレビジョン放送（＝デジタル放送）を受信して復調するものであって、アンテナ部１５１、チューナ部１５２、Ａ／Ｄ変換部１５３、復調部１５４、及び、ＴＳデマルチプレクサ１５５を備えている。
【００３２】
アンテナ部１５１は、デジタル方式のテレビジョン放送波を受信するものである。チューナ部１５２は、アンテナ部１５１で受信されたテレビジョン放送波から、リモコン３等を介して設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３３】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３４】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３５】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００３６】
ＨＤＤ（Ｈａｒｄ  Ｄｉｓｋ  Ｄｒｉｖｅ）１９（記録媒体に相当する）は、ＭＰＵ１１からの指示に従って映像情報、音声情報等の種々の情報を格納すると共に、ＭＰＵ１１からの指示に従って格納された映像情報、音声情報等の種々の情報を出力するものである。
【００３７】
次に、ＨＤＤレコーダ１が放送を受信する場合の動作について説明する。まず、送信されてきたデジタル放送波がアンテナ部１５１で受信される。リモコン３（又は、操作部１４）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３８】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３９】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００４０】
図２は、本発明に係るＨＤＤレコーダ１における主要部の構成の一例を示すブロック図である。ＭＰＵ１１は、機能的に、候補判定部１１０、候補設定部１１１、基準日時設定部１１２、判定期間設定部１１３、番組表取得部１１４、早期放送判定部１１５、再放送設定部１１６、再放送有無判定部１１７、報知部１１８、及び、基準日時更新部１１９を備え、ＲＡＭ１２は、機能的に、候補記憶部１２１、番組表記憶部１２２、及び、検索対象記憶部１２３を備え、ＨＤＤ１９は、機能的に、番組情報記憶部１９１を備えている。
【００４１】
ここでは、ＭＰＵ１１が、図１に示すＲＯＭ１３等に予め格納された制御プログラムを読み出して実行することにより、候補判定部１１０、候補設定部１１１、基準日時設定部１１２、判定期間設定部１１３、番組表取得部１１４、早期放送判定部１１５、再放送設定部１１６、再放送有無判定部１１７、報知部１１８、基準日時更新部１１９等の機能部として機能すると共に、ＲＡＭ１２を、候補記憶部１２１、番組表記憶部１２２、検索対象記憶部１２３等の機能部として機能させ、ＨＤＤ１９を、番組情報記憶部１９１等の機能部として機能させるものである。
【００４２】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４３】
番組情報記憶部１９１（番組情報記憶手段に相当する）は、受信部１５によって受信された１のチャンネルの映像情報、音声情報等を、番組の名称（＝タイトル）を示す情報である番組名称情報、及び、録画が開始された日時を示す情報である録画開始日時情報と対応付けて格納するものである。また、番組情報記憶部１９１に格納された番組名称情報及び録画開始日時情報は、候補判定部１１０によって読み出されるものである。
【００４４】
候補記憶部１２１（候補記憶手段に相当する）は、再放送を検索する候補の番組である検索候補番組の番組名称情報を、再放送を検索するか否か（＝早期放送であるか否か）を規定する期間である判定期間情報、及び、判定期間の開始日時である基準日時情報と対応付けて格納するものである。また、候補記憶部１２１に格納される検索候補番組の番組名称情報、基準日時情報及び判定期間情報は、候補設定部１１１、基準日時設定部１１２、及び、判定期間設定部１１３によって、それぞれ書き込まれ、早期放送判定部１１５によって読み出されるものである。
【００４５】
番組表記憶部１２２（番組表記憶手段に相当する）は、番組表取得部１１４によって取得されたＥＰＧ（Ｅｌｅｃｔｒｏｎｉｃ  Ｐｒｏｇｒａｍ  Ｇｕｉｄｅ）情報を格納するものである。番組表記憶部１２２に格納されたＥＰＧ情報は、早期放送判定部１１５、及び、再放送有無判定部１１７によって読み出されるものである。
【００４６】
検索対象記憶部１２３（検索対象記憶手段に相当する）は、再放送を検索する対象の番組である検索対象番組の番組名称情報を格納するものである。検索対象記憶部１２３に格納される検索対象番組の番組名称情報は、再放送設定部１１６によって書き込まれ、再放送有無判定部１１７によって読み出されるものである。
【００４７】
候補判定部１１０（候補判定手段に相当する）は、番組情報記憶部１９１に、同一の番組名称情報を有する複数の映像情報が格納されているか否かを判定するものである。すなわち、候補判定部１１０は、複数回だけ番組情報記憶部１９１に格納されている番組の有無を判定するものである。
【００４８】
候補設定部１１１（候補設定手段に相当する）は、候補判定部１１０によって同一の番組名称情報を有する複数の映像情報が番組情報記憶部１９１に格納されていると判定された場合に、該番組名称情報を検索候補番組の番組名称情報として候補記憶部１２１に記録する（＝書き込む）ものである。
【００４９】
すなわち、候補設定部１１１は、複数回だけ番組情報記憶部１９１に格納されている番組を、再放送を検索する候補の番組である検索候補番組として設定するものである。つまり、複数回だけ番組情報記憶部１９１に格納されている番組であるということによって、ユーザが視聴を所望する番組であって、予め設定された所定期間（例えば、１週間）毎に放送される番組であると推定し、再放送を検索する候補の番組である検索候補番組として設定するのである。
【００５０】
基準日時設定部１１２（基準日時設定手段に相当する）は、候補判定部１１０によって同一の番組名称情報を有する複数の映像情報が番組情報記憶部１９１に格納されていると判定された場合に、複数の映像情報の内、最新の映像情報に対応する録画終了日時を基準日時Ｔ０として設定し、候補記憶部１２１に記録する（＝書き込む）ものである（図６（ａ）参照）。
【００５１】
判定期間設定部１１３（判定期間設定手段に相当する）は、同一の番組名称情報を有する複数の映像情報が番組情報記憶部１９１に格納されていると判定された場合に、複数の映像情報に対応する録画開始日時に基づき判定期間を設定し、候補記憶部１２１に記録する（＝書き込む）ものである。
【００５２】
具体的には、判定期間設定部１１３は、同一の番組名称情報を有する複数の映像情報に対応する１の録画開始日時と、隣接する他の１の録画開始日時との間の期間である放送間隔期間（例えば、１週間）を求め、求められた放送間隔期間から、映像情報に対応する検索候補番組の番組放送時間（例えば、２時間）を引いた差を判定期間Ｐ１として設定するものである。
【００５３】
すなわち、判定期間設定部１１３は、候補判定部１１０によって同一の番組名称情報を有する複数の映像情報に対応する番組の放送周期である放送間隔期間を、１の録画開始日時と、隣接する他の１の録画開始日時との間の期間として求め、検索候補番組の放送時間を示す番組放送時間を引いた差を、検索候補番組の早期放送がされているか否かを検索する期間である判定期間Ｐ１として設定するものである（図６（ａ）参照）。
【００５４】
番組表取得部１１４（番組表取得手段に相当する）は、受信部１５を介してＥＰＧ情報を取得すると共に、取得したＥＰＧ情報を番組表記憶部１２２に記録する（＝書き込む）ものである。また、番組表取得部１１４は、早期放送判定部１１５及び再放送有無判定部１１７からの指示に応じて、受信部１５を介してＥＰＧ情報を取得するものである。
【００５５】
早期放送判定部１１５（早期放送判定手段に相当する）は、予め設定された所定期間（例えば、１時間）毎に番組表取得部１１４に対してＥＰＧ情報を取得させ、取得されたＥＰＧ情報において、基準日時Ｔ０から判定期間Ｐ１経過までの間に、候補記憶部１２１に格納された検索候補番組の番組名称情報と同一の番組名称情報を有する番組の放送開始日時が含まれているか否か（＝通常の放送開始日時より前に放送が開始されるか否か）を判定するものである（図６（ａ）参照）。
【００５６】
再放送設定部１１６（再放送設定手段に相当する）は、早期放送判定部１１５によって番組の放送開始日時が含まれている（＝通常の放送開始日時より前に放送が開始される：以下、通常の放送開始日時より前に開始される放送を「早期放送」という）と判定された場合に、この番組の放送終了日時Ｔ２が経過した時点で、この番組名称情報を、再放送を検索する対象の番組である検索対象番組（＝視聴対象番組であって、且つ、ユーザが視聴する機会を逸した可能性のある番組）の番組名称情報として設定し、検索対象記憶部１２３に記録するものである。
【００５７】
再放送有無判定部１１７（再放送有無判定手段に相当する）は、再放送設定部１１６によって再放送を検索する対象の番組である検索対象番組の番組名称情報が設定された場合に、予め設定された所定期間（例えば、１時間）毎に番組表取得部１１４に対してＥＰＧ情報を取得させ、早期放送における番組の放送終了日時Ｔ２を起点として予め設定された再放送検索期間Ｐ２（例えば、１週間）内に、取得されたＥＰＧ情報に検索対象番組の番組名称情報が含まれているか否か（＝検索対象番組の再放送が行われるか否か：再放送検索期間Ｐ２内に、検索対象番組の再放送開始日時Ｔ５が含まれているか否か）を判定するものである（図６（ａ）参照）。
【００５８】
報知部１１８（報知手段に相当する）は、再放送有無判定部１１７によって、再放送を検索する対象の番組である検索対象番組の番組名称情報が含まれている（＝検索対象番組の再放送が行われる）と判定された場合に、検索対象番組が再放送される旨の情報を報知するものである。
【００５９】
具体的には、報知部１１８は、再放送有無判定部１１７によって、再放送を検索する対象の番組である検索対象番組の番組名称情報が含まれている（＝検索対象番組の再放送が行われる）と判定された場合に、ディスプレイ２１に検索対象番組が再放送される旨の情報をＯＳＤ（Ｏｎ−Ｓｃｒｅｅｎ  Ｄｉｓｐｌａｙ）等によって表示するものである（図６（ｂ）参照）。
【００６０】
基準日時更新部１１９（基準日時更新手段に相当する）は、基準日時Ｔ０から判定期間Ｐ１が経過したか否かを判定し、判定期間Ｐ１が経過したと判定された場合に、基準日時Ｔ０を、基準日時Ｔ０から判定期間Ｐ１が経過した時点に対応する日時Ｔ３を起点として、更に、検索候補番組の番組放送時間Ｐ０が経過した時点に対応する日時Ｔ４に更新し、候補記憶部１２１に記録する（＝書き込む）ものである（図６（ａ）参照）。
【００６１】
図３〜図５は、ＨＤＤレコーダ１（主にＭＰＵ１１）の動作の一例を示すフローチャートである。まず、候補設定部１１１によって、再放送を検索する候補の番組である検索候補番組が有るか否かが判定される（Ｓ１０１）。検索候補番組が無いと判定された場合（Ｓ１０１でＮＯ）には、処理が待機状態とされる。検索候補番組が有ると判定された場合（Ｓ１０１でＹＥＳ）には、候補設定部１１１によって、検索候補番組の番組名称情報が候補記憶部１２１に書き込まれる（Ｓ１０３）。
【００６２】
そして、基準日時設定部１１２によって、基準日時Ｔ０が設定され、候補記憶部１２１に書き込まれる（Ｓ１０５）。次いで、判定期間設定部１１３によって、放送間隔期間が求められる（Ｓ１０７）。次に、判定期間設定部１１３によって、ステップＳ１０７において求められた放送間隔期間から、映像情報に対応する検索候補番組の番組放送時間（例えば、２時間）を引いた差が判定期間Ｐ１として設定され、候補記憶部１２１に書き込まれる（Ｓ１０９）。
【００６３】
そして、図４に示すように、早期放送判定部１１５によって、所定期間（例えば、１時間）が経過したか否かの判定が行われる（Ｓ１１１）。所定期間が経過していないと判定された場合（Ｓ１１１でＮＯ）には、処理が待機状態とされる。所定期間が経過したと判定された場合（Ｓ１１１でＹＥＳ）には、早期放送判定部１１５によって番組表取得部１１４を介してＥＰＧ情報が取得される（Ｓ１１３）。そして、早期放送判定部１１５によって、ステップＳ１１３において取得されたＥＰＧ情報において、基準日時Ｔ０から判定期間Ｐ１経過までの間に、検索候補番組の番組名称情報と同一の番組名称情報を有する番組の放送開始日時が含まれているか否か（＝早期放送の予定があるか否か）の判定が行われる（Ｓ１１５）。
【００６４】
早期放送の予定が有ると判定された場合（Ｓ１１５でＹＥＳ）には、処理がステップＳ１２１に進められる。早期放送の予定がないと判定された場合（Ｓ１１５でＮＯ）には、基準日時更新部１１９によって、判定期間Ｐ１が経過したか否か（＝検索候補番組の通常の放送開始日時に到達したか否か）の判定が行われる（Ｓ１１７）。通常の放送開始日時に到達していないと判定された場合（Ｓ１１７でＮＯ）には、処理がステップＳ１１１に戻され、ステップＳ１１１以降の処理が繰り返し実行される。通常の放送開始日時に到達したと判定された場合（Ｓ１１７でＹＥＳ）には、基準日時更新部１１９によって、基準日時Ｔ０が、判定期間Ｐ１が経過した時点に対応する日時Ｔ３を起点として、更に、検索候補番組の番組放送時間Ｐ０が経過した時点に対応する日時Ｔ４に更新され（Ｓ１１９）、処理がステップＳ１１１に戻され、ステップＳ１１１以降の処理が繰り返し実行される。
【００６５】
ステップＳ１１５でＹＥＳの場合には、再放送設定部１１６によって、早期放送されている検索候補番組の放送終了日時Ｔ２が経過したか否かの判定が行われる（Ｓ１２１）。放送終了日時Ｔ２が経過していないと判定された場合（Ｓ１２１でＮＯ）には、処理が待機状態とされる。放送終了日時Ｔ２が経過したと判定された場合（Ｓ１２１でＹＥＳ）には、再放送設定部１１６によって、検索候補番組の番組名称情報が、検索対象番組の番組名称情報として設定される（Ｓ１２３）。そして、基準日時更新部１１９によって、検索候補番組の通常の放送開始日時に到達したか否かの判定が行われる（Ｓ１２５）。通常の放送開始日時に到達していないと判定された場合（Ｓ１２５でＮＯ）には、処理が図５に示すステップＳ１２９に進められる。通常の放送開始日時に到達したと判定された場合（Ｓ１２５でＹＥＳ）には、基準日時更新部１１９によって、基準日時Ｔ０が、判定期間Ｐ１が経過した時点に対応する日時Ｔ３を起点として、更に、検索候補番組の番組放送時間Ｐ０が経過した時点に対応する日時Ｔ４に更新され（Ｓ１２７）、処理が図５に示すステップＳ１２９に進められる。
【００６６】
ステップＳ１２５でＮＯの場合、又は、ステップＳ１２７の処理が終了した場合には、図５に示すように、再放送有無判定部１１７によって、予め設定された所定期間（例えば、１時間）が経過したか否かの判定が行われる（Ｓ１２９）。所定期間が経過していないと判定された場合（Ｓ１２９でＮＯ）には、処理が待機状態とされる。所定期間が経過したと判定された場合（Ｓ１２９でＹＥＳ）には、基準日時更新部１１９によって、検索候補番組の通常の放送開始日時に到達したか否かの判定が行われる（Ｓ１３１）。通常の放送開始日時に到達していないと判定された場合（Ｓ１３１でＮＯ）には、処理がステップＳ１３５に進められる。通常の放送開始日時に到達したと判定された場合（Ｓ１３１でＹＥＳ）には、基準日時更新部１１９によって、基準日時Ｔ０が、判定期間Ｐ１が経過した時点に対応する日時Ｔ３を起点として、更に、検索候補番組の番組放送時間Ｐ０が経過した時点に対応する日時Ｔ４に更新され（Ｓ１３３）、処理がステップＳ１３５に進められる。
【００６７】
ステップＳ１３１でＮＯの場合、又は、ステップＳ１３３の処理が終了した場合には、再放送有無判定部１１７によって、番組表取得部１１４を介してＥＰＧ情報が取得される（Ｓ１３５）。そして、再放送有無判定部１１７によって、予め設定された再放送検索期間Ｐ２（例えば、１週間）内に、ステップＳ１３５において取得されたＥＰＧ情報に検索対象番組の番組名称情報が含まれているか否か（＝検索対象番組の再放送が行われるか否か）が判定される（Ｓ１３７）。
【００６８】
検索対象番組の番組名称情報が含まれている（＝再放送の予定がある）と判定された場合（Ｓ１３７でＹＥＳ）には、報知部１１８によって、ディスプレイ２１に検索対象番組が再放送される旨の情報が表示され（Ｓ１４１）、処理が終了される。検索対象番組の番組名称情報が含まれていないと判定された場合（Ｓ１３７でＮＯ）には、再放送有無判定部１１７によって、再放送検索期間Ｐ２が経過したか否か（＝検索終了日時に到達したか否か）の判定が行われる（Ｓ１３９）。検索終了日時に到達していないと判定された場合（Ｓ１３９でＮＯ）には、処理がステップＳ１２９に戻され、ステップＳ１２９以降の処理が繰り返し実行される。検索終了日時に到達したと判定された場合（Ｓ１３９でＹＥＳ）には、処理が終了される。
【００６９】
図６（ａ）は、基準日時Ｔ０、判定期間Ｐ１等の一例を示す説明図であり、図６（ｂ）は、図５に示すフローチャートのステップＳ１４１でディスプレイ２１に表示される再放送予定報知画面の一例を示す画面図である。図６（ａ）に示す説明図の横軸は日時Ｔであり、左端部に、基準日時設定部１１２によって設定される基準日時Ｔ０を示しており、基準日時Ｔ０を起点として、判定期間設定部１１３によって設定される判定期間Ｐ１経過後のタイミングが、検索候補番組の通常の放送開始日時Ｔ３である。なお、ここでは、検索候補番組の放送される期間は、番組放送時間Ｐ０である。
【００７０】
また、判定期間Ｐ１内に、検索候補番組の放送開始日時Ｔ１がＥＰＧ情報において設定されている場合に、再放送設定部１１６によって、検索候補番組が検索対象番組として設定される。そして、再放送有無判定部１１７によって、早期放送における番組の放送終了日時Ｔ２（＝放送開始日時Ｔ１から番組放送時間Ｐ０経過後）を起点として予め設定され期間（例えば、１週間）が再放送検索期間Ｐ２である。そして、再放送検索期間Ｐ２内に、検索対象番組の再放送開始日時Ｔ５が含まれている場合に、報知部１１８によって、検索対象番組が再放送される旨の情報を報知するものである。
【００７１】
図６（ｂ）に示す再放送予定報知画面４００には、画面右側に、再放送情報表示部４０１が表示され、再放送情報表示部４０１の下側に確認済ボタン４０２が表示されている。再放送情報表示部４０１は、検索対象番組が再放送される旨の情報を表示するものであって、ここでは、「放送日時が変更されたタイトル「ＡＡＡＡ」の再放送が下記の日時に有ります。６月１日１２時〜」と表示されている。
【００７２】
また、確認済ボタン４０２は、ユーザが再放送情報表示部４０１を確認した場合に押下されるボタンであって、押下された場合には、再放送情報表示部４０１及び確認済ボタン４０２の表示が消去されるものである。ここで、「確認済ボタン４０２が押下される」とは、リモコン３に配設された所定のキー（例えば、方向キー等）を介して確認済ボタン４０２が選択状態とされ、リモコン３に配設された所定のキー（例えば、決定キー等）が押下された場合に、押下されると判定するものである。
【００７３】
このようにして、再放送を検索する候補の番組である検索候補番組の番組名称情報が、再放送を検索するか否かを規定する期間である判定期間情報、及び、判定期間の開始日時である基準日時情報と対応付けて候補記憶部１２１に予め格納されており、予め設定された所定期間毎に、予め設定された１のチャンネルのデジタル放送を受信する受信部１５を介して、ＥＰＧ情報が取得され、取得されたＥＰＧ情報において、基準日時Ｔ０から判定期間Ｐ１経過までの間に、候補記憶部１２１に格納された検索候補番組の番組名称情報と同一の番組名称情報を有する番組の放送開始日時Ｔ１が含まれているか否かが判定される。また、番組の放送開始日時Ｔ１が含まれていると判定された場合に、該番組の放送終了日時Ｔ２が経過した時点で、この番組名称情報が、再放送を検索する対象の番組である検索対象番組の番組名称情報として設定され、検索対象番組の番組名称情報を格納する検索対象記憶部１２３に記録されるため、視聴対象番組を確実に視聴することができる。
【００７４】
すなわち、取得されたＥＰＧ情報において、基準日時Ｔ０（例えば、検索候補番組の放送終了日時）から判定期間Ｐ１（例えば、判定期間Ｐ１＝（放送間隔期間：例えば、１週間）−（検索候補番組の番組放送時間Ｐ０：例えば、２時間））経過までの間に、候補記憶部１２１に格納された検索候補番組の番組名称情報と同一の番組名称情報を有する番組の放送開始日時Ｔ１が含まれているか否か（＝通常の放送開始日時より前に放送が開始されるか否か）が判定され、番組の放送開始日時Ｔ１が含まれている（＝通常の放送開始日時より前に放送が開始される：以下、通常の放送開始日時より前に開始される放送を「早期放送」という）と判定された場合に、この番組の放送終了日時Ｔ２が経過した時点で、この番組名称情報が、再放送を検索する対象の番組である検索対象番組の番組名称情報として設定され、検索対象記憶部１２３に記録されるため、例えば、検索対象記憶部１２３に記録された検索対象番組の番組名称情報をディスプレイ２１に表示することによって、再放送を検索する対象の番組（＝視聴対象番組であって、且つ、ユーザが視聴する機会を逸した可能性のある番組）をユーザが確認することが可能となるので、視聴対象番組を確実に視聴することができるのである。
【００７５】
また、基準日時Ｔ０から判定期間Ｐ１が経過したか否かが判定され、判定期間Ｐ１が経過したと判定された場合に、基準日時Ｔ０が、基準日時Ｔ０から判定期間Ｐ１が経過した時点に対応する日時Ｔ３を起点として、更に、検索候補番組の番組放送時間Ｐ０が経過した時点に対応する日時Ｔ４に更新され、候補記憶部１２１に記録されるため、視聴対象番組を更に確実に視聴することができる。
【００７６】
すなわち、基準日時Ｔ０から判定期間Ｐ１が経過したと判定された場合に、基準日時Ｔ０が、基準日時Ｔ０から判定期間Ｐ１が経過した時点に対応する日時Ｔ３を起点として、更に、検索候補番組の番組放送時間Ｐ０が経過した時点に対応する日時Ｔ４に更新されるため、基準日時Ｔ０から判定期間Ｐ１が経過する度に、基準日時Ｔ０が更新され、早期放送の有無を継続して判定することができるので、視聴対象番組を更に確実に視聴することができる。
【００７７】
更に、検索対象番組の番組名称情報が設定された場合に、予め設定された期間（例えば、１時間）毎にＥＰＧ情報が取得され、取得されたＥＰＧ情報に検索対象番組の番組名称情報が含まれているか否かが判定され、検索対象番組の番組名称情報が含まれていると判定された場合に、検索対象番組が再放送される旨の情報が報知されるため、視聴対象番組を更に確実に視聴することができる。
【００７８】
すなわち、再放送を検索する対象の番組である検索対象番組（＝視聴対象番組であって、且つ、ユーザが視聴する機会を逸した可能性のある番組）の番組名称情報が設定された場合に、ＥＰＧ情報に検索対象番組の番組名称情報が含まれているか否かが判定され、検索対象番組の番組名称情報が含まれていると判定された場合に、検索対象番組が再放送される旨の情報が報知されるため、ユーザは、視聴対象番組であって、且つ、ユーザが視聴する機会を逸した可能性のある番組が再放送されることを認知することができるので、視聴対象番組を更に確実に視聴することができるのである。
【００７９】
加えて、検索対象番組の番組名称情報が含まれていると判定された場合に、ディスプレイ２１に検索対象番組が再放送される旨の情報が表示されるため、視聴対象番組であって、且つ、ユーザが視聴する機会を逸した可能性のある番組が再放送されることを更に確実に認知することができる。
【００８０】
また、受信部１５によって、予め設定された１のチャンネルのデジタル放送が受信され、受信された１のチャンネルの映像情報が、該映像情報に対応する番組名称情報及び録画開始日時情報と対応付けてＨＤＤ１９の番組情報記憶部１９１に予め格納されている。そして、番組情報記憶部１９１に、同一の番組名称情報を有する複数の映像情報が格納されているか否かが判定され、同一の番組名称情報を有する複数の映像情報が格納されていると判定された場合に、該番組名称情報が検索候補番組の番組名称情報として候補記憶部１２１に記録され、複数の映像情報の内、最新の映像情報に対応する録画終了日時が基準日時Ｔ０として設定され候補記憶部１２１に記録されると共に、複数の映像情報に対応する録画開始日時に基づき判定期間Ｐ１が設定され、候補記憶部１２１に記録されるため、利便性良好に検索候補番組の番組名称情報、基準日時情報及び判定期間情報を候補記憶部１２１に格納することができる。
【００８１】
すなわち、番組情報記憶部１９１に、同一の番組名称情報を有する複数の映像情報が格納されていると判定された場合に、該番組名称情報が検索候補番組の番組名称情報として候補記憶部１２１に記録され、複数の映像情報の内、最新の映像情報に対応する録画終了日時が基準日時Ｔ０として設定され候補記憶部１２１に記録されると共に、複数の映像情報に対応する録画開始日時に基づき判定期間Ｐ１が設定され候補記憶部１２１に記録されるため、ユーザが検索候補番組の番組名称情報、基準日時情報及び判定期間情報を候補記憶部１２１に格納する必要がないので、利便性良好に検索候補番組の番組名称情報、基準日時情報及び判定期間情報を候補記憶部１２１に格納することができるのである。
【００８２】
更に、番組情報記憶部１９１に格納された同一の番組名称情報を有する複数の映像情報の内、１の映像情報に対応する１の録画開始日時と、他の１の映像情報に対応する他の１の録画開始日時との間の期間である放送間隔期間が求められ、求められた放送間隔期間から、映像情報に対応する検索候補番組の番組放送時間Ｐ０を引いた差が判定期間Ｐ１として設定するため、適正な判定期間Ｐ１を設定することができる。
【００８３】
すなわち、基準日時Ｔ０（＝検索候補番組の放送終了日時）から判定期間Ｐ１経過までの間に、候補記憶部１２１に格納された検索候補番組の番組名称情報と同一の番組名称情報を有する番組の放送開始日時Ｔ１が含まれている場合に、早期放送がされる（＝通常の放送開始日時より前に放送が開始される）と判定するため、判定期間Ｐ１として、放送間隔期間から、映像情報に対応する検索候補番組の番組放送時間Ｐ０を引いた差が判定期間Ｐ１として設定されるので、適正な判定期間Ｐ１を設定することができるのである（図６（ａ）参照）。
【００８４】
なお、本発明は、以下の形態にも適用可能である。
（Ａ）本実施形態では、デジタル放送記録装置が、ＨＤＤレコーダ１である場合について説明したが、デジタル放送記録装置が、デジタル放送を介して受信した番組情報を格納すると共に、格納された番組情報を再生してモニタに表示する装置であればよい。例えば、デジタル放送記録装置が、ＤＶＤレコーダ、ビデオテープレコーダ等である形態でもよい。
【００８５】
（Ｂ）本実施形態では、ＭＰＵ１１が、機能的に、候補判定部１１０、候補設定部１１１、基準日時設定部１１２、判定期間設定部１１３、番組表取得部１１４、早期放送判定部１１５、再放送設定部１１６、再放送有無判定部１１７、報知部１１８、基準日時更新部１１９等を備える場合について説明したが、候補判定部１１０、候補設定部１１１、基準日時設定部１１２、判定期間設定部１１３、番組表取得部１１４、早期放送判定部１１５、再放送設定部１１６、再放送有無判定部１１７、報知部１１８、及び、基準日時更新部１１９の内、少なくとも１の機能部が回路等のハードウェアによって構成されている形態でもよい。
【００８６】
（Ｃ）本実施形態では、報知部１１８がディスプレイ２１に検索対象番組が再放送される旨の情報を表示する場合について説明したが、報知部１１８がスピーカ２２等を介して検索対象番組が再放送される旨の情報を音声等で報知する形態でもよい。
【図面の簡単な説明】
【００８７】
【図１】は、本発明に係るＨＤＤレコーダの構成の一例を示すブロック図である。
【図２】は、本発明に係るＨＤＤレコーダにおける主要部の構成の一例を示すブロック図である。
【図３】は、ＨＤＤレコーダ（主にＭＰＵ）の動作の一例を示すフローチャート（第１部）である。
【図４】は、ＨＤＤレコーダ（主にＭＰＵ）の動作の一例を示すフローチャート（第２部）である。
【図５】は、ＨＤＤレコーダ（主にＭＰＵ）の動作の一例を示すフローチャート（第３部）である。
【図６】は、基準日時Ｔ０、判定期間Ｐ１等の一例を示す説明図、及び、図５に示すフローチャートのステップＳ１４１でディスプレイに表示される再放送予定報知画面の一例を示す画面図である。
【符号の説明】
【００８８】
１    ＨＤＤレコーダ（デジタル放送記録装置）
１１    ＭＰＵ
１１０    候補判定部（候補判定手段）
１１１    候補設定部（候補設定手段）
１１２    基準日時設定部（基準日時設定手段）
１１３    判定期間設定部（判定期間設定手段）
１１４    番組表取得部（番組表取得手段）
１１５    早期放送判定部（早期放送判定手段）
１１６    再放送設定部（再放送設定
１１７    再放送有無判定部（再放送有無判定手段）
１１８    報知部（報知手段の一部）
１１９    基準日時更新部（基準日時更新手段）
１２    ＲＡＭ
１２１    候補記憶部（候補記憶手段）
１２２    番組表記憶部
１２３    検索対象記憶部（検索対象記憶手段）
１９    ＨＤＤ
１９１    番組情報記憶部（番組情報記憶手段）
１５    受信部（受信手段）
２    出力装置
２１    ディスプレイ（モニタ、報知手段の一部）
３    リモコン
【図１】
2009033290.tif 000003
【図２】
2009033290.tif 000004
【図３】
2009033290.tif 000005
【図４】
2009033290.tif 000006
【図５】
2009033290.tif 000007
【図６】
2009033290.tif 000008